(57)【要約】【課題】  屎尿と多量の洗浄水を自動的に分離・回収するトイレ装置を提供すること。【解決手段】  ボウル面２ａの便落ち口部２ｂ下に遮蔽体３を駆動要素４と連動させることで、閉じ，半開，全開の各位置に作動可能に備え、遮蔽体３は、センサー５が用便エリアａ内に使用者を感知できない間は閉じ位置に停止し、センサー５が同エリアａ内に使用者を感知している間は全開位置に停止し、使用者が同エリアａ内から離れてセンサー５が使用者を感知できなくなると半開位置に停止可能にし、給水装置６は、遮蔽体３が半開位置に停止した後、洗浄水をボウル面２ａに給水運転可能にし、これらの駆動要素４と遮蔽体３と給水装置６が適時自動運転するように処理装置１８で制御することにより、ボウル面２ａを十分に洗浄可能な量の洗浄水を半開位置の遮蔽体３を経て当該遮蔽体３下側の取水口部８から自動回収可能に形成してある。【選択図】  図１
2006299564.tif 000002
【特許請求の範囲】
【請求項１】
ボウル面の便落ち口部下に遮蔽体を駆動要素と連動させることで、当該便落ち口部に対して閉じ位置あるいは半開位置もしくは全開位置に作動可能に備え、
遮蔽体は、センサーが用便エリア内に使用者を感知できない間は閉じ位置に停止し、センサーが用便エリア内に使用者を感知している間は全開位置に停止し、使用者が用便エリア内から離れてセンサーが使用者を感知できなくなると半開位置に停止して、給水装置からボウル面に給水される洗浄水を遮蔽体下側の排便管の側壁面部に開口した取水口部に向けて案内可能にし、
給水装置は、遮蔽体が半開位置に停止した後、ボウル面上縁の吐水口部からボウル面を十分に洗浄可能な量の洗浄水をボウル面に給水運転可能にし、
これらの駆動要素と遮蔽体と給水装置が適時自動運転するように処理装置で制御することにより、ボウル面を十分に洗浄可能な量の洗浄水を半開位置の遮蔽体を経て当該遮蔽体下側の前記取水口部から自動回収可能に形成してあることを特徴とするトイレ装置。
【請求項２】
ボウル面の便落ち口部下のバランス便皿直下における排便管の排便口部下に遮蔽体を駆動要素と連動させることで、当該排便口部に対して閉じ位置あるいは全開位置に作動可能に備え、
遮蔽体は、センサーが用便エリア内に使用者を感知できない間は閉じ位置に停止し、センサーが用便エリア内に使用者を感知している間は全開位置に停止し、使用者が用便エリア内から離れてセンサーが使用者を感知できなくなると閉じ位置に停止して、給水装置からボウル面に給水される洗浄水を遮蔽体上側の前記排便管の側壁面部に開口した取水口部に向けて案内可能にし、
給水装置は、遮蔽体が閉じ位置に停止した後、ボウル面上縁の吐水口部からボウル面を十分に洗浄可能な量の洗浄水をボウル面に給水運転可能にし、
これらの駆動要素と遮蔽体と給水装置が適時自動運転するように処理装置で制御することにより、ボウル面を十分に洗浄可能な量の洗浄水を閉じ位置の遮蔽体を経てバランス便皿下側の前記取水口部から自動回収可能に形成してあることを特徴とするトイレ装置。
【請求項３】
給水装置は、センサーが用便エリア内に使用者が入ったことを感知して遮蔽体が全開位置に作動した後に、吐水口部から少量の洗浄水をボウル面に自動給水運転可能にしてあることを特徴とする請求項１または２記載のトイレ装置。
【請求項４】
給水装置は、使用者が用便エリア内から離れてセンサーが使用者を感知できなくなると、遮蔽体が全開位置に停止している間に吐水口部から少量の洗浄水をボウル面に自動給水運転可能にしてあることを特徴とする請求項１〜３のいずれか１項記載のトイレ装置。
【請求項５】
給水装置は、洗浄水の濾過装置を経て取水口部と連通し、この取水口部から回収されて浄化された後の洗浄水を給水装置に還流可能に形成してあることを特徴とする請求項１〜４のいずれか１項記載のトイレ装置。
【発明の詳細な説明】
【技術分野】
【０００１】
本発明はボウル面を十分に洗浄可能な水量の洗浄水で洗浄できて、しかも、屎尿と洗浄水を分離する自動水洗装置として有用なトイレ装置に関する。
【背景技術】
【０００２】
本発明者は、特許文献１〜３に開示されているように、屎尿と洗浄水を分離し、屎尿は便槽に集め、洗浄水を分離回収する簡易水洗便器を開発し提案してきた。
これらの設計思想は、少量の洗浄水で便器を洗って回収し、屎尿は便槽に落とすというものである。
従来使われている陶器製の水洗便器は、便器ボウル面から通じる水路に防臭トラップを持ち、そのまま管路に接続されるために、一旦排便された屎尿は洗浄水と混合され分離することはできなかった。
簡易水洗便器は屎尿と洗浄水を便槽に貯留するために大量の洗浄水を使えず、汚物を便槽に搬送し且つ便器ボウル面を洗浄する２００〜３００ccの僅かな水を使い、残水をボウル面直下の遮蔽体で貯溜し、少量の水で水封防臭する構造を持っている。
したがって、水洗便器と違い、この遮蔽体を利用すれば、屎尿と洗浄水を分離できる唯一の便器になる。
【０００３】
もう１つの簡易水洗便器の課題は、便槽容量の限度を考えると少量の水しか流せないため、水洗便器に比較するとやはり洗浄力が劣ることであった。一般家庭では主婦の努力に頼れるが、不特定多数の使用者を対象にする仮設便所等では問題があった
本発明者はこの問題を解決するために、屎尿は便槽に落とし、便器のボウル面を洗った洗浄水のみを分離し、水洗便器同様に１０リットル程度の多量の水でボウル面を十分に洗浄することを考えた。また、その水は屎尿水ではないので、土壌に浸透させたり滅菌して放流したりする他、簡単な濾過、滅菌の上、洗浄水として循環再利用することを考え、これを特許文献４，５で開示している。
浄化槽や下水道の普及していない地域では未だ汲み取り便槽と簡易水洗便器が使われており、簡易水洗便器の洗浄力の不足が解決されれば、その使用感は水洗便器と変わらないものとなる。
【０００４】
本発明者が洗浄水分離便器に着手した頃は洗浄水を分離して土壌で処理したり、当時の単独浄化槽の放流基準値以下で放流することを考えていたが、現在は省資源、省エネルギーが最大の要素になっている。したがって、完全に屎尿を分離し、洗浄水として循環利用することが、環境保全の意味からも大切なことになっている。
これは日本ばかりでなく、水の少ない発展途上国が、現在の水洗便器を使用して、例え一回５リットルでも放流すれば、処理場の施設費ばかりでなく、水資源の枯渇の心配さえ生じる。洗浄水の循環再利用をして便器を気持ちよく洗いながら、少しの土地を利用できるところでは高濃度汚水の土壌処理等を併用し、一年に一回くらいの汲み取りが可能になり、トイレに悩む発展途上国の人々に大きな貢献ができる。
また、さらには国内でも広く使われている仮設トイレの多くが特許文献６にあるように洗浄水タンクを便槽上部に設けたりして足踏みポンプで少量の水を噴射させて使っているが、これも便槽の汲み取り量の増加を心配して多くの水は流せず、便器の掃除手間がかかっている。
工事現場はとにかくとしてイベント用のトイレでも同じものが使われている。汲み取り式仮設便所であっても、水洗トイレと同じ洗浄感のトイレへの要求は大きい。
【０００５】
前記した各発明の問題点は、用便中に洗浄水を流されると、屎尿が洗浄水に混入して、再利用または放流する洗浄水が汚染されることであった。特許文献５で、固液分離、洗浄水循環便器用に提案した方法を応用して、和式便器は踏み板に、洋式便器では便座に電源スイッチを連動させ、踏み板または便座を下りると始めて通電し、それからスイッチを押して便器洗浄をする方式をとったが、主として家庭で使う洋式の場合に慣れてくると一寸腰を浮かせてスイッチを押し屎尿が洗浄水に混入した。また、踏み板や便座を離れると通電、洗浄する方式の場合には、男子小便の場合、用便後に踏み板や便座を押して洗浄操作しなければならないことが難点であった。
第２の問題は、大小便を一緒に便槽に落とす型式の便器では、便皿の上方側面に洗浄水取水口があるために、男子小便の尿が洗浄水に混じり易かった。特許文献４で、用便時には遮蔽体を回動自在にして、屎尿を便槽に送り、洗浄時のみ遮蔽体を固定し、遮蔽体の後部に水路を設けて洗浄水を取水する提案をしたが、紙が詰まり易かったり、大量の洗浄水が流れると溢水する等の問題があった。
【特許文献１】特公昭６１−１５７９号
【特許文献２】特公昭６１−４０９２４号
【特許文献３】特公昭６２−３８５００号
【特許文献４】特願平８−３１１３６号
【特許文献５】特願平１０−２０５７４４号
【特許文献６】特許第２６５６４２５号
【発明の開示】
【発明が解決しようとする課題】
【０００６】
解決しようとする課題は、第１には、使用者は一切の操作をせずともボウル面を十分な量の洗浄水で自動洗浄して綺麗にできると共に、屎尿を便槽に、洗浄水を取水口部に、それぞれ分離して自動回収でき、屎尿と洗浄水を分離する自動水洗装置として有用なトイレ装置を、第２には、使用者は一切の操作をせずともボウル面を十分な量の洗浄水で自動洗浄して綺麗にできると共に、屎尿を便槽に、洗浄水を取水口部に、それぞれ分離して自動回収でき、屎尿と洗浄水を分離する自動水洗装置として有用なトイレ装置を、第３には、さらに、ボウル面に屎尿が付着しずらく、便槽内に流れ込む洗浄水が少量で済むトイレ装置を、第４には、さらに、用便後にボウル面に残った紙等を便槽に流すことができ、便槽内に流れ込む洗浄水が少量で済むトイレ装置を、第５には、さらに、洗浄水を循環再使用することが可能なトイレ装置を提供することにある。
【課題を解決するための手段】
【０００７】
本発明は前記の課題を解決するために、便器におけるボウル面上からの可視範囲内すなわち遮蔽体よりも上側側面にあった洗浄水取水口部を可視範囲外である遮蔽体の下側に設け、使用者を感知している間は便落ち口部を全開して屎尿が便槽内に落下し、使用者が便器から離れた後にはボウル面を洗浄すると共に当該洗浄水を取水口部より回収し、洗浄後には便落ち口部を閉じるものを一型式とし、もう一つの型式は、便器は公知のバランス便皿式簡易水洗便器を使い、便落ち口部から床下に連なる排便管に洗浄水取水口部および当該取水口部より下位の第２便落ち口部を開閉可能な遮蔽体を設け、この遮蔽体は、使用者感知時には全開して屎尿が便槽内に落下するようにし、洗浄時には全閉して洗浄水を取水口に送り込み、不使用時にはそのまま閉じ状態を保つものとしたものであり、そして、両形式ともに使用者を感知し、その後における一連の遮蔽体の作動と洗浄水の給水が適時自動的に行なわれるように電子コントロールしたことを特徴とする。
【０００８】
すなわち、本発明は以下の構成にしたことを特徴とする。
１．ボウル面の便落ち口部下に遮蔽体を駆動要素と連動させることで、当該便落ち口部に対して閉じ位置あるいは半開位置もしくは全開位置に作動可能に備え、遮蔽体は、センサーが用便エリア内に使用者を感知できない間は閉じ位置に停止し、センサーが用便エリア内に使用者を感知している間は全開位置に停止し、使用者が用便エリア内から離れてセンサーが使用者を感知できなくなると半開位置に停止して、給水装置からボウル面に給水される洗浄水を遮蔽体下側の排便管の側壁面部に開口した取水口部に向けて案内可能にし、給水装置は、遮蔽体が半開位置に停止した後、ボウル面上縁の吐水口部からボウル面を十分に洗浄可能な量の洗浄水をボウル面に給水運転可能にし、これらの駆動要素と遮蔽体と給水装置が適時自動運転するように処理装置で制御することにより、ボウル面を十分に洗浄可能な量の洗浄水を半開位置の遮蔽体を経て当該遮蔽体下側の前記取水口部から自動回収可能に形成してあることを特徴とする。
２．ボウル面の便落ち口部下のバランス便皿直下における排便管の排便口部下に遮蔽体を駆動要素と連動させることで、当該排便口部に対して閉じ位置あるいは全開位置に作動可能に備え、遮蔽体は、センサーが用便エリア内に使用者を感知できない間は閉じ位置に停止し、センサーが用便エリア内に使用者を感知している間は全開位置に停止し、使用者が用便エリア内から離れてセンサーが使用者を感知できなくなると閉じ位置に停止して、給水装置からボウル面に給水される洗浄水を遮蔽体上側の前記排便管の側壁面部に開口した取水口部に向けて案内可能にし、給水装置は、遮蔽体が閉じ位置に停止した後、ボウル面上縁の吐水口部からボウル面を十分に洗浄可能な量の洗浄水をボウル面に給水運転可能にし、これらの駆動要素と遮蔽体と給水装置が適時自動運転するように処理装置で制御することにより、ボウル面を十分に洗浄可能な量の洗浄水を閉じ位置の遮蔽体を経てバランス便皿下側の前記取水口部から自動回収可能に形成してあることを特徴とする。
３．上記１または２において、給水装置は、センサーが用便エリア内に使用者が入ったことを感知して遮蔽体が全開位置に作動した後に、吐水口部から少量の洗浄水をボウル面に自動給水運転可能にしてあることを特徴とする。
４．上記１〜３のいずれかにおいて、給水装置は、使用者が用便エリア内から離れてセンサーが使用者を感知できなくなると、遮蔽体が全開位置に停止している間に吐水口部から少量の洗浄水をボウル面に自動給水運転可能にしてあることを特徴とする。
５．上記１〜４のいずれかにおいて、給水装置は、洗浄水の濾過装置を経て取水口部と連通し、この取水口部から回収されて浄化された後の洗浄水を給水装置に還流可能に形成してあることを特徴とする。
【０００９】
本発明における用便エリアとは、使用者が用便のために便器の前に立ったり便座に座ったりした状態の範囲を指す。
遮蔽体は、回転軸を支点として揺動することで、閉じ位置あるいは半開位置もしくは全開位置に作動するものでも、閉じ位置あるいは全開位置に作動するものであってもよい。また、遮蔽体が閉じ位置あるいは全開位置に作動するものではガイドレール部に沿って水平方向にスライドするものであってもよい。また、遮蔽体が揺動するタイプのものでは、ソレノイド等の駆動手段と連動しているストッパーで遮蔽体を各停止位置にロックし得るようにしてもよい。
駆動要素は、遮蔽体を前記した位置に作動可能であればよく、ステッピングモーターやソレノイド等が挙げられる。
センサーは、用便エリアへの使用者の出入りを感知可能なものであればよく、赤外線センサーあるいは光電センサー等が上げられる。
給水装置は、タンクを経て上水道と接続しているものでも、タンクを経て濾過装置に接続しているものでも、ダイレクトに濾過装置と接続しているものでもよく、上水あるいは濾過水を洗浄水として給水可能であればよい。この給水装置は、ボウル面を十分に洗浄可能な量たとえば５リットル程度の洗浄水を吐水口部からボウル面に給水可能であればよく、また、センサーが用便エリア内に使用者が入ったことを感知して遮蔽体が全開位置に作動した後に、少量の洗浄水を自動給水可能にしてあってもよいし、さらに、使用者が用便エリア内から離れてセンサーが使用者を感知できなくなると、遮蔽体が全開位置に停止している間に少量の洗浄水を自動給水可能にしてもよい。かかる給水装置による給水量および給水回数ならびに給水タイミングは処理装置により任意に設定可能である。
ボウル面上縁の吐水口部は、洗浄水を左右から流したり、一方から旋回流として流すものであってもよい。
濾過装置は、洗浄水を濾過・殺菌して循環再使用するタイプでもよいし、濾過・殺菌して放流するタイプのものであってもよい。
処理装置は、ボウル面の自動洗浄から屎尿と洗浄水の自動分離・回収そして便落ち口部を自動閉口する自動水洗装置として、各要素および各装置が適時運転するようなプログラムを設定可能なマイコン等であればよい。
【発明の効果】
【００１０】
Ａ．請求項１により、使用者が用便中の間は遮蔽体が全開位置に停止しているので屎尿を便槽内に誘導でき、使用者が用便後に便器から離れるとボウル面を洗浄するのに十分な量の洗浄水が給水されてボウル面を綺麗に洗浄でき、そして、かかる洗浄水を半開位置の遮蔽体を経て取水口部に回収することができる。
したがって、使用者は一切の操作をせずともボウル面を十分な量の洗浄水で自動洗浄して綺麗にできると共に、屎尿を便槽に、洗浄水を取水口部に、それぞれ分離して自動回収でき、屎尿と洗浄水を分離する自動水洗装置として有用であり、一般住宅や仮設トイレに好適である。
また、洗浄水の取水口部がボウル面上から男子小便中にも見えない部位にあるので、見掛けもよく、商品価値が損なわれない。
赤外線センサーで使用者を感知して作動が始まり、使用者が立ち去るのを確認してから洗浄水が流れるので、屎尿が洗浄水に混入することがない。
マイコン制御により所望の量の水が流れ、遮蔽体が作動するので、便槽に流入するプレ洗浄水と汚物搬送水と循環洗浄水を分けることができ、直下便槽の場合等少しの水も入れないこともできる。
Ｂ．請求項２により、使用者が用便中の間は遮蔽体が全開位置に停止しているので屎尿を便槽内に誘導でき、使用者が用便後に便器から離れるとボウル面を洗浄するのに十分な量の洗浄水が給水されてボウル面を綺麗に洗浄でき、そして、かかる洗浄水を閉じ位置の遮蔽体を経て取水口部に回収することができる。
したがって、使用者は一切の操作をせずともボウル面を十分な量の洗浄水で自動洗浄して綺麗にできると共に、屎尿を便槽に、洗浄水を取水口部に、それぞれ分離して自動回収でき、屎尿と洗浄水を分離する自動水洗装置として有用である。
また、洗浄水の取水口部がボウル面上から男子小便中にも見えない部位にあるので、見掛けもよく、商品価値が損なわれない。
Ｃ．請求項３により、さらに、用便前にボウル面を少量の洗浄水で濡らすことで屎尿が付着しないようにすることができ、また、便槽内に流れ込む洗浄水が少量であるから問題ない。
Ｄ．請求項４により、さらに、用便後にボウル面に残った紙等を少量の洗浄水で便槽に流すことができ、また、便槽内に流れ込む洗浄水が少量であるから問題ない。
Ｅ．請求項５により、さらに、濾過することで清浄な洗浄水が得られるので、これを循環使用することで全く新しい省資源トイレシステムを生み出すことができる。
【発明を実施するための最良の形態】
【００１１】
図１〜図５には本発明のトイレ装置における実施の１形態を例示しており、躯体１の床１ａ上に設置された便器２におけるボウル面２ａの便落ち口部２ｂ下には遮蔽体３をステッピングモーター４の回転軸４ａと連動させることで、当該便落ち口部２ｂに対して閉じ位置あるいは半開位置もしくは全開位置に揺動可能に備えてある。
遮蔽体３は、僅かの水で便落ち口部２ｂを水封可能な皿状に形成してあり、処理装置１８のプログラムにしたがって自動運転するステッピングモーター４の駆動力を受けることで、赤外線センサー５が用便エリアａ内に使用者を感知できない間は閉じ位置に停止し、赤外線センサー５が用便エリアａ内に使用者を感知している間は全開位置に停止し、使用者が用便エリアａ内から離れて赤外線センサー５が使用者を感知できなくなると半開位置に停止して、タンク１６内の給水装置６からボウル面２ａに向けて給水される洗浄水を遮蔽体３下側の排便管７の側壁面部７ａに開口した取水口部８に向けて案内可能にしてある。
【００１２】
給水装置６は、処理装置１８のプログラムにしたがって自動運転し、赤外線センサー５が用便エリアａ内に使用者が入ったことを感知して遮蔽体３が全開位置に作動した後に、ボウル面２ａ上縁の吐水口部９から少量の洗浄水をボウル面２ａに自動給水運転し、使用者が用便エリアａ内から離れて赤外線センサー５が使用者を感知できなくなると、遮蔽体３が全開位置に停止している間に吐水口部９から少量の洗浄水をボウル面２ａに自動給水運転し、そして、遮蔽体３が半開位置に停止した後、吐水口部９からボウル面２ａを十分に洗浄可能な量の洗浄水をボウル面２ａに給水運転するようにしてある。
【００１３】
排便管７は、便落ち口部２ｂの口径よりも若干大きい口径のもので、便落ち口部２ｂと同心状に配置してあり、半開位置の遮蔽体３先端側の側壁面部７ａに取水口部８を開口してある。この取水口部８は、半開位置の遮蔽体３先端から洗浄水が流れ込み易い口形状に形成してあり、回収した洗浄水は送水管１０を経て濾過装置１１に送水可能にしてある。
濾過装置１１は、洗浄水が流入する沈殿分離槽１２と第１フィルター槽１３と第２フィルター槽１４と集水槽１５を有し、沈殿分離槽１２には送水管１０を経て洗浄水が流れ込み、間違って混入した紙等があればここで沈殿分離する。底面近くには比較的大口径のドレインバルブ１２ａを設け、沈殿物を槽外に排出させるようにする。また、同槽には必ず塩素剤供給筒１２ｂを設け、簡単には溶けず徐々に時間をかけて解けてゆく次亜塩素酸やイソシアヌル酸素の錠剤を投入し、洗浄剤を殺菌し得るようにしてある。
第１フィルター槽１３および第２フィルター槽１４は、上流側から下流へと巻縮性化学繊維体や不織布状のものまで粗から密になるように濾材１３ａ，１４ａをそれぞれ配置し、どの部分かに色素吸着繊維層を挟むことが望ましく、濾過した洗浄水を脱色し得るようにするのがよい。濾材１３ａ，１４ａは取り出し易い幾つかのブロックに分かれ約３０センチ位の厚さがあるものになる。
集水槽１５は、第２フィルター槽１４から出てきた濾過済みの洗浄水を貯留し、ポンプアップして便器２後部のタンク１６に送水可能にしてある。また、最上の水質の洗浄水を望むならば、同槽にオゾン発生器１７を設け、発生するオゾンを底面より曝気してやるとよい。また、この同槽の最上部にボールタップを取付け、水道水や井戸水が自動給水されるようにしてもよい。
【００１４】
処理装置１８は、第１プログラムから第６プログラムまで順に実行されるように設定してあり、第１プログラムでは、赤外線センサー５が用便エリアａ内に使用者が入ったことを感知しない限り、ステッピングモーター４および給水装置６は運転せず、遮蔽体３は閉じ位置に停止し、便落ち口部２ｂは水封されている。
第２プログラムでは、使用者が用便エリアａ内に入ったことを赤外線センサー５が感知すると、ステッピングモーター４が運転し、遮蔽体３が閉じ位置から全開位置に揺動して、使用者が用便後に用便エリアａ内から離れて第３プログラムが実行されるまで同全開位置に停止し続ける。
第３プログラムでは、遮蔽体３が全開位置に揺動して停止した直後に、給水装置６が運転して約１００ｃｃ程度の洗浄水をタンク１６から吐水口部９に給水してボウル面２ａに流す。
第４プログラムでは、用便を終えた使用者が用便エリアａ内から離れて赤外線センサー５が使用者を感知できなくなると、給水装置６が運転して約２００ｃｃ程度の洗浄水をタンク１６から吐水口部９に給水してボウル面２ａに流す。
第５プログラムでは、第４プログラムが実行された後に、ステッピングモーター４が運転し、遮蔽体３が全開位置から半開位置に揺動して停止する。
第６プログラムでは、遮蔽体３が半開位置に揺動して停止した直後に、給水装置６が運転して約５リットル程度の洗浄水をタンク１６から吐水口部９に給水してボウル面２ａに流す。
また、処理装置１８には、タンク１６内の水量が減少すると集水槽１５におけるポンプ１５ａが運転してタンク１６に過不足なく給水するプログラムを設定してある。
【００１５】
次に、使用状態について説明すると、使用者が用便エリアａ内に入らない不使用時には、ステッピングモーター４および給水装置６は運転せず、遮蔽体３は閉じ位置に停止し、便落ち口部２ｂは水封されて、便槽１９内の臭気が屋内に漏れない（図２参照）。
使用者が用便エリアａ内に入ったことを赤外線センサー５が感知すると、ステッピングモーター４が運転し、遮蔽体３は閉じ位置から全開位置に揺動して、使用者が用便後に用便エリアａ内から離れて第３プログラムが実行されるまで同全開位置に停止し続ける（図４参照）。
遮蔽体３が全開位置に揺動して停止した直後に、給水装置６が運転して約１００ｃｃ程度の洗浄水をタンク１６から吐水口部９に給水してボウル面２ａに流し、ボウル面２ａを濡らして屎尿が付着しずらくなるように整える。
用便を終えた使用者が用便エリアａ内から離れて赤外線センサー５が使用者を感知できなくなると、給水装置６が運転して約２００ｃｃ程度の洗浄水をタンク１６から吐水口部９に給水してボウル面２ａに流し、ボウル面２ａに残っている紙等を便槽１９に流す。
然る後に、ステッピングモーター４が運転し、遮蔽体３は全開位置から半開位置に揺動して停止する。この直後に、給水装置６が運転して約５リットル程度の洗浄水をタンク１６から吐水口部９に給水してボウル面２ａに流す。かかる洗浄水は遮蔽体３に誘導されて取水口部８に流入し（図５参照）、送水管１０を経て濾過装置１１に流れる。こうして洗浄水が濾過装置１１に流れ込んだ後、ステッピングモーター４が運転し、遮蔽体３は半開位置から閉じ位置に揺動して停止して便落ち口部２ｂを水封する。
濾過装置１１に流れた洗浄水は沈殿分離槽１２において、間違って混入した紙等が沈殿分離し、第１フィルター槽１３および第２フィルター槽１４を通過していく過程で殺菌・濾過・脱色されて集水槽１５に貯溜される。
その後は、集水槽１５からポンプアップされてタンク１６に送水され、給水装置６よる循環再給水に備える。
【００１６】
図６〜図８には本発明のトイレ装置における実施の他の１形態を例示しており、構成は前記した図１の態様のものと基本的に同一であるため、共通している構成の説明・図示は符合を準用して省略し、相違する構成について説明する。
ボウル面２ａの便落ち口部２ｂ下のバランス便皿２０直下における排便管７の排便口部７ｂ下には遮蔽体３をステッピングモーター４の回転軸４ａと連動させることで、当該排便口部７ｂに対して閉じ位置あるいは全開位置に揺動可能に備えてある。
遮蔽体３は、僅かの水で排便口部７ｂを水封可能な皿状に形成してあり、処理装置１８のプログラムにしたがって自動運転するステッピングモーター４の駆動力を受けることで、赤外線センサー５が用便エリアａ内に使用者を感知できない間は閉じ位置に停止し、赤外線センサー５が用便エリアａ内に使用者を感知している間は全開位置に停止し、使用者が用便エリアａ内から離れて赤外線センサー５が使用者を感知できなくなると再び閉じ位置に停止して、給水装置６からボウル面２ａに向けて給水される洗浄水をバランス便皿２０下側の排便管７における遮蔽体３上脇の側壁面部７ａに開口した取水口部２１に向けて案内可能にしてある。
【００１７】
給水装置６は、処理装置１８のプログラムにしたがって自動運転し、赤外線センサー５が用便エリアａ内に使用者が入ったことを感知して遮蔽体３が全開位置に作動した後に、ボウル面２ａ上縁の吐水口部９から少量の洗浄水をボウル面２ａに自動給水運転し、使用者が用便エリアａ内から離れて赤外線センサー５が使用者を感知できなくなると、遮蔽体３が全開位置に停止している間に吐水口部９から少量の洗浄水をボウル面２ａに自動給水運転し、そして、遮蔽体３が全開位置から閉じ位置に揺動して停止した後、吐水口部９からボウル面２ａを十分に洗浄可能な量の洗浄水をボウル面２ａに給水運転するようにしてある。
取水口部２１は、閉じ位置の遮蔽体３上面から洗浄水が流れ込み易い口形状に形成してあり、回収した洗浄水は送水管１０を経て濾過装置１１に送水可能にしてある。
【００１８】
処理装置１８は、第１プログラムから第６プログラムまで順に実行されるように設定してあり、第１プログラムでは、赤外線センサー５が用便エリアａ内に使用者が入ったことを感知しない限り、ステッピングモーター４および給水装置６は運転せず、遮蔽体３は閉じ位置に停止し、便落ち口部２ｂおよび排便口部７ｂはそれぞれ水封されている。
第２プログラムでは、使用者が用便エリアａ内に入ったことを赤外線センサー５が感知すると、ステッピングモーター４が運転し、遮蔽体３が閉じ位置から全開位置に揺動して、使用者が用便後に用便エリアａ内から離れて第３プログラムが実行されるまで同全開位置に停止し続ける。
第３プログラムでは、遮蔽体３が全開位置に揺動して停止した直後に、給水装置６が運転して約１００ｃｃ程度の洗浄水をタンク１６から吐水口部９に給水してボウル面２ａに流す。
第４プログラムでは、用便を終えた使用者が用便エリアａ内から離れて赤外線センサー５が使用者を感知できなくなると、給水装置６が運転して約２００ｃｃ程度の洗浄水をタンク１６から吐水口部９に給水してボウル面２ａに流す。
第５プログラムでは、第４プログラムが実行された後に、ステッピングモーター４が運転し、遮蔽体３が全開位置から閉じ位置に揺動して停止する。
第６プログラムでは、遮蔽体３が閉じ位置に揺動して停止した直後に、給水装置６が運転して約５リットル程度の洗浄水をタンク１６から吐水口部９に給水してボウル面２ａに流す。
【００１９】
次に、使用状態について説明すると、使用者が用便エリアａ内に入らない不使用時には、ステッピングモーター４および給水装置６は運転せず、遮蔽体３は閉じ位置に停止し、便落ち口部２ｂは水封されて、便槽１９内の臭気が屋内に漏れない（図６参照）。
使用者が用便エリアａ内に入ったことを赤外線センサー５が感知すると、ステッピングモーター４が運転し、遮蔽体３は閉じ位置から全開位置に揺動して、使用者が用便後に用便エリアａ内から離れて第３プログラムが実行されるまで同全開位置に停止し続ける（図７参照）。
遮蔽体３が全開位置に揺動して停止した直後に、給水装置６が運転して約１００ｃｃ程度の洗浄水をタンク１６から吐水口部９に給水してボウル面２ａに流し、ボウル面２ａを濡らして屎尿が付着しずらくなるように整える。
用便を終えた使用者が用便エリアａ内から離れて赤外線センサー５が使用者を感知できなくなると、給水装置６が運転して約２００ｃｃ程度の洗浄水をタンク１６から吐水口部９に給水してボウル面２ａに流し、ボウル面２ａに残っている紙等を便槽１９に流す。
然る後に、ステッピングモーター４が運転し、遮蔽体３は全開位置から閉じ位置に揺動して停止する。この直後に、給水装置６が運転して約５リットル程度の洗浄水をタンク１６から吐水口部９に給水してボウル面２ａに流す。かかる洗浄水は遮蔽体３に誘導されて取水口部２１に流入し（図８参照）、送水管１０を経て濾過装置１１に流れる。こうして洗浄水が濾過装置１１に流れ込んだ後も、遮蔽体３は閉じ位置に停止し続けて排便口部７ｂを水封する。
濾過装置１１に流れた洗浄水は沈殿分離槽１２において、間違って混入した紙等が沈殿分離し、第１フィルター槽１３および第２フィルター槽１４を通過していく過程で殺菌・濾過・脱色されて集水槽１５に貯溜される。
その後は、集水槽１５からポンプアップされてタンク１６に送水され、給水装置６よる循環再給水に備える。
【００２０】
図９には本発明のトイレ装置における実施の他の１形態を例示しており、構成は前記した図１の態様のものと基本的に同一であるため、共通している構成の説明は符合を準用して省略し、相違する構成について説明する。
吐水口部９に濾過装置１１のポンプ１５ａを接続してあり、このポンプ１５ａは、処理装置１８のプログラムにしたがって自動運転し、赤外線センサー５が用便エリアａ内に使用者が入ったことを感知して遮蔽体３が全開位置に作動した後に、ボウル面２ａ上縁の吐水口部９から少量の洗浄水をボウル面２ａに自動給水運転し、使用者が用便エリアａ内から離れて赤外線センサー５が使用者を感知できなくなると、遮蔽体３が全開位置に停止している間に吐水口部９から少量の洗浄水をボウル面２ａに自動給水運転し、そして、遮蔽体３が全開位置から閉じ位置に揺動して停止した後、吐水口部９からボウル面２ａを十分に洗浄可能な量の洗浄水をボウル面２ａに給水運転するようにしてある。
【図面の簡単な説明】
【００２１】
【図１】本発明のトイレ装置における実施の１形態を例示している縦断面図。
【図２】遮蔽体が閉じ状態にある部分縦断面図。
【図３】濾過装置の縦断面図
【図４】遮蔽体が全開状態にある部分縦断面図。
【図５】遮蔽体が半開状態にある部分縦断面図。
【図６】本発明のトイレ装置における実施の他の１形態を例示している部分縦断面図。
【図７】遮蔽体が全開状態にある部分縦断面図。
【図８】遮蔽体が閉じ状態にある部分縦断面図。
【図９】本発明のトイレ装置における実施の他の１形態を例示している縦断面図。
【符号の説明】
【００２２】
１  躯体
１ａ  床
２  便器
２ａ  ボウル面
２ｂ  便落ち口部
３  遮蔽体
４  ステッピングモーター（駆動要素）
４ａ  回転軸
５  赤外線センサー（センサー）
ａ  用便エリア
６  給水装置
７  排便管
７ａ  側壁面部
８，２１  取水口部
１８  処理装置
９  吐水口部
１０  送水管
１１  濾過装置
１２  沈殿分離槽
１２ａ  ドレインバルブ
１２ｂ  塩素剤供給筒
１３  第１フィルター槽
１３ａ，１４ａ  濾材
１４  第２フィルター槽
１５  集水槽
１５ａ  ポンプ
１６  タンク
１７  オゾン発生器
１９  便槽
２０  バランス便皿
【図１】
2006299564.tif 000003
【図２】
2006299564.tif 000004
【図３】
2006299564.tif 000005
【図４】
2006299564.tif 000006
【図５】
2006299564.tif 000007
【図６】
2006299564.tif 000008
【図７】
2006299564.tif 000009
【図８】
2006299564.tif 000010
【図９】
2006299564.tif 000011